(57)【要約】【課題】光ディスクに書込まれている複数のセッションのうち、読み出すセッションをユーザが指定可能とし、所定のセッションからのデータ読み出しができない場合があっても、ユーザが指定した範囲外にデータの読み出しができないセッションがあればこのセッションを読み込ませないので、他の正常なセッションは読み出し可能となった光ディスク装置を提供する。【解決手段】マルチセッション方式でデータが書込まれた光ディスク１０からデータを読み出し可能な光ディスク装置３０において、光ディスクに書込まれている複数のセッションのうち、読み出すセッションをユーザが指定可能に設けられていることを特徴とする。【選択図】　　　　図２
2004079097.tif 000002
【特許請求の範囲】
【請求項１】
マルチセッション方式でデータが書込まれた光ディスクからデータを読み出し可能な光ディスク装置において、
光ディスクに書込まれている複数のセッションのうち、読み出すセッションをユーザが指定可能に設けられていることを特徴とする光ディスク装置。
【請求項２】
ホストコンピュータに接続可能であって、ホストコンピュータから送信されてくるコマンドにより動作制御され、且つマルチセッション方式でデータが書込まれた光ディスクからデータを読み出し可能な光ディスク装置において、
ホストコンピュータから送信されてくるコマンドであって光ディスクに書込まれている複数のセッションのうち読み出すセッションの範囲を指定した指定コマンドを受け付ける受信手段と、
該受け付けた指定コマンドによって指定された範囲のセッションを読み出すように制御する制御手段とを具備することを特徴とする光ディスク装置。
【発明の詳細な説明】
【０００１】
【発明の属する技術分野】
本発明は、マルチセッション方式によりデータが書込まれた光ディスクを読み出し可能な光ディスク装置に関する。
【０００２】
【従来の技術】
データを書込み可能な光ディスクであるＣＤ−ＲやＣＤ−ＲＷ等においては、その書込み方式に様々な種類がある。このうちの１つにマルチセッションという方式がある。
マルチセッションについて、図４と図５に基づいて説明する。
マルチセッションは、光ディスク１０全面におけるデータの書込みが終了していなくとも、現在のところ書込んだ部分だけでもデータ読み出しが可能となるように考えられた方式である。
すなわち、マルチセッションは、所定のデータのまとまりを１セッションとして、セッション毎に光ディスク１０に書込み可能としたものであり、セッション毎に追記（一旦データ書込が終了した後であってもその終了部分から続けてデータ書込みを行なうこと）ができる書込み方式である。
【０００３】
図４、図５では、例として光ディスク１０の内周側からセッション１、セッション２、セッション３と３つのセッションが書込まれている。
また、図５に示すように各セッションは、リードイン、ユーザデータ、リードアウトの３つのデータをひとまとめにしたものから構成される。したがってマルチセッションで書込まれた光ディスク１０中には、複数のリードインとリードアウトが存在している。
【０００４】
図５に示す、光ディスク１０中の各データについて説明する。
光ディスク１０の最内周にはＰＣＡ（Ｐｏｗｅｒ　Ｃａｒｉｂｒａｔｉｏｎ　Ａｒｅａ）が設けられている。ＰＣＡは、データ書込み前にレーザパワーを校正するためにデータの試し書きを行なうエリアである。
ＰＣＡの外周側にはＰＭＡ（Ｐｒｏｇｒａｍ　Ｍｅｍｏｒｙ　Ａｒｅａ）が設けられている。ＰＭＡはデータの追記時に必要なアドレス情報等を一時的に保存しておくエリアである。
【０００５】
各セッション１〜３における各リードインは、各ユーザデータよりも内周側に設けられており、各セッションの開始が定義されている。
各リードインには、セッション中のトラック（セッションよりも小さい１つの記録単位：音楽データであれば１曲に該当）のアドレスが記載されたＴＯＣ（Ｔａｂｌｅ　ｏｆ　Ｃｏｎｔｅｎｔｓ）情報が記述されている。また、各リードインには、ＴＯＣ情報とともにマルチセッションで書込まれたものである旨も記述されており、マルチセッションであるかそうでないかを判断できる。さらに、各リードインには、次のセッションのユーザデータの開始時間も記述されている。これらについては後述する。
各セッション１〜３における各リードアウトは、各ユーザデータよりも外周側に設けられ、各セッションの終了が定義される。
【０００６】
各リードインに記載されたデータについて図６に基づいてさらに説明する。図６では、各セッションのリードインの内容のみを連続して図示している。図の左側に位置する数字は、その位置でのアドレスである。
本図では、上からセッション１のリードイン、次にセッション２のリードイン、最下部にセッション３のリードインが図示されている。
光ディスクの最内周に位置するセッション１のリードインには、マルチセッションかそうでないかを示すマルチセッションフラグがたてられている。このマルチセッションフラグによってマルチセッション方式で記録された光ディスクか否かの判断ができる。
セッション１のマルチセッションフラグの次には、ＴＯＣ情報が記述されている。このＴＯＣ情報は、セッション１に記録されている各トラックの開始アドレスが記述されている。
リードインの最後には、次のセッションであるセッション２の最初のトラックの開始アドレスが記述されている。
【０００７】
次のセッション２はアドレス４７７５０から開始されているものとする。セッション２のリードインには、最初にＴＯＣ情報が記述されている。このＴＯＣ情報は、セッション２に記録されている各トラックの開始アドレスが記述されている。
そして次のセッションであるセッション３の最初のトラックの開始アドレスが記述されている。
【０００８】
次のセッション３はアドレス７７７５０から開始されているものとする。ただし、本図ではセッション３のリードインにはライトエラーがあって、ＴＯＣ情報として誤った記述がなされていることが図示されている。
【０００９】
一般的に光ディスク１０を光ディスク装置（ここでは図示せず）に装着した場合においては、装着された光ディスク１０がマルチセッション方式であるかまたはそうでない方式によるかを光ディスク装着時に判断しないとならない。
なぜならこの判断をしないと、マルチセッションであるにもかかわらず、マルチセッションではないと認識して光ディスク１０の最内周側の最初のセッションだけ読み取ってデータの読取り終了となってしまうということも考えられるからである。
また、装着された光ディスク１０がマルチセッションによるものであると判断された場合、セッションがいくつあるか、およびこれら各セッションのアドレス情報等をＴＯＣ情報から認識する必要がある。
以下、このように光ディスクが装着されたときに、この光ディスクがマルチセッションであるか否か、およびセッション数や各セッションにおけるアドレス情報等を認識する動作をイニシャライズ動作という場合がある。
【００１０】
イニシャライズ動作について簡単に説明する。
イニシャライズ動作は、各リードインのみを最内周から外周方向へ向けて順番に読み取っていくことで行なわれる（図６では上から下に向けて読み取っていく）。
まず、光ディスク装置は、最内周のリードインではマルチセッションであるかそうでないかについて認識し、マルチセッションであれば複数のリードインを読み取る。マルチセッションでなければ１つのリードインを読み取ってイニシャライズ動作を終了する。
その後、光ディスク装置は、このセッションでのＴＯＣ情報を読み取り、各トラックの開始アドレス等を認識する。そして、光ディスク装置は、次のセッションのトラックの開始アドレスを読み取り、次のセッションへジャンプし、次のセッションのリードインを読み出すことを繰り返し行なう。
【００１１】
【発明が解決しようとする課題】
上述したように、光ディスク装置においては、光ディスクが装着されると、イニシャライズ動作をする必要がある。
しかし、１枚の光ディスク中の複数のセッションのうち、いずれかのセッションから正常なデータ（リードイン、ユーザデータおよびリードアウトを含む）の読み出しができないと、読み出しエラーが発生し、正常な読み出しができなかったセッションでイニシャライズ動作が中断する。
イニシャライズ動作が中断してしまうと、結局光ディスク全体ではセッションがいくつ存在しているかの認識、および各セッション毎のアドレス情報等の認識ができないということになる。かかる場合には、正常な読み出しができなかったセッション以外の正常なセッションからもデータの読み出しができなくなってしまうというという課題がある。
【００１２】
そこで、本発明は上記課題を解決すべくなされ、その目的とするところは、イニシャライズ動作時においてマルチセッションで書込まれた光ディスクであることが判明した後、所定のセッションからのデータ読み出しができない場合があっても、このようなデータの読み出しができないセッションを読み込ませないようにして、読み出しできないセッションよりも内側に配置されている他の正常なセッションを読み出し可能とした光ディスク装置を提供することにある。
【００１３】
【課題を解決するための手段】
本発明にかかる光ディスク装置によれば、マルチセッション方式でデータが書込まれた光ディスクからデータを読み出し可能な光ディスク装置において、光ディスクに書込まれている複数のセッションのうち、最初のセッションから任意のセッションまでを読み出すことができるように、読み出すセッションの範囲をユーザが指定可能に設けられていることを特徴としている。
この構成を採用することによって、ユーザ側で読み出す範囲を指定可能としたので、例えばマルチセッション方式でデータが書込まれた光ディスクを読み出そうとした際に読み出しエラーがあった場合には、ユーザが指定する読み出す範囲が読み出しエラーの原因となったセッションを除くように指定されていれば、指定されたセッションのみが光ディスクから読み出される。このため、従来は読み出しエラーとしてデータを全く読み出せなかった光ディスクからであってもデータを読み出すことができる。
【００１４】
本発明にかかる光ディスク装置によれば、ホストコンピュータに接続可能であって、ホストコンピュータから送信されてくるコマンドにより動作制御され、且つマルチセッション方式でデータが書込まれた光ディスクからデータを読み出し可能な光ディスク装置において、ホストコンピュータから送信されてくるコマンドであって光ディスクに書込まれている複数のセッションのうち読み出すセッションの範囲を指定した指定コマンドを受け付ける受信手段と、該受け付けた指定コマンドによって指定された範囲のセッションを読み出すように制御する制御手段とを具備することを特徴としている。
この構成を採用することによって、ホストコンピュータを操作してユーザが読み出すセッションの範囲を指定した場合には指定コマンドを受信し、受信した指定コマンドに基づいてセッションの読み出しが可能である。このため、例えばマルチセッション方式でデータが書込まれた光ディスクを読み出そうとした際に読み出しエラーがあった場合に読み出しエラーである旨がホストコンピュータで表示され、ユーザはこれを見てセッションの読み出し範囲を任意に指定することができる。そしてユーザが指定する読み出す範囲が読み出しエラーの原因となったセッションを除くように指定されていれば、指定されたセッションのみが光ディスクから読み出される。このため、従来は読み出しエラーとしてデータを全く読み出せなかった光ディスクからであってもデータを読み出すことができる。
【００１５】
【発明の実施の形態】
以下、本発明の好適な実施の形態を添付図面に基づいて詳細に説明する。
まず、図１に光ディスク装置の内部構造についてのブロック図を示し、これに基づいて本実施形態の構成を、それらの動作と共に説明する。なお、ここでいう光ディスク装置としては、光ディスクに対してデータを書込みおよび光ディスクからのデータの読み出し機能の両者を備えているものであっても、読み出し機能のみを備えているものであってもどちらでもよい。
光ディスク装置３０は、光ディスク１０に照射するレーザ光を発振するレーザダイオード（図示せず）および光ディスク１０からの反射光を受けるフォトディテクタ（図示せず）を有する光ピックアップ１９を具備している。
【００１６】
光ピックアップ１９は、光ディスク１０のトラッキング方向へ光ピックアップ１９を移動させる送り機構２０によって移動可能に設けられている。送り機構２０は、光ピックアップ１９がスライド可能に支持されているスレッド軸（図示せず）や送りモータ（図示せず）等から構成される。
光ディスク１０は、スピンドルモータ２２の回転軸に設けられたターンテーブル上に載置され、スピンドルモータ２２の駆動によって回転する。
【００１７】
スピンドルモータ２２の光ディスク１０の回転、光ピックアップ１９内の対物レンズ（図示せず）のトラッキング、光ピックアップ１９内の対物レンズのフォーカスおよび光ピックアップ１９の送り機構２０の制御は、サーボ制御手段２４が行なう。サーボ制御手段２４としては、サーボプロセッサが挙げられる。
【００１８】
サーボ制御手段２４は、光ディスク１０から反射してきた反射光の強度信号からＲＦアンプ２６によって抽出された誤差信号ｆおよび、制御部２８からの制御信号ｅに基づいて各サーボ系の制御を行なう。
すなわち、サーボ制御手段２４は、対物レンズのトラッキングやフォーカス等の各サーボ制御を制御信号ａ，ｂによって行ない、さらに制御部２８からのアドレス信号に基づき、指示されたアドレスに光ピックアップ１９が移動するように送り機構２０の制御を制御信号ｃによって行ない、ＲＦアンプ２６からの誤差信号および制御部２８からの制御信号ｅに基づいたサーボ制御手段２４からの制御信号ｄによってスピンドルモータ２２の回転制御が行なわれる。
【００１９】
光ディスク１０から読み出したデータは、ＲＦアンプ２６からデコーダ２９に入力されてデコードされ、制御部２８へ入力される。
制御部２８は、ＣＰＵ、メモリ等から構成されており、該メモリ内に予め記憶されている制御プログラムに基づいて、光ディスク装置３０の全体動作を統括制御する。特許請求の範囲の制御手段が制御部２８に該当する。
【００２０】
制御部２８は、光ディスク１０が装着されると、光ディスク１０から最初のセッションのリードインを読み出すことによって、この装着された光ディスク１０がマルチセッションによるものであるか否かを判断する。
そして制御部２８は、装着された光ディスク１０がマルチセッションであると判断した場合には、各セッションを認識するようにイニシャライズ動作を行なうように制御する。イニシャライズ動作は、各セッション毎に形成されているリードインのＴＯＣ情報を順次読み出すことによって行なわれる。
なお、装着された光ディスク１０がマルチセッションでなければ、リードインは１つしかなく、ＴＯＣ情報も１つしかないので、制御部２８は、これだけを読み出すようにする。
【００２１】
光ディスク装置３０は、ＳＣＳＩやＡＴＡＰＩ等のインターフェースからなる入出力部３４（特許請求の範囲の受信手段に該当する）を介してホストコンピュータ４０とケーブル４１によって接続される。ホストコンピュータ４０としては一般に市販されているパーソナルコンピュータを用いることができる。光ディスク装置３０は、ホストコンピュータ４０に内蔵される場合とホストコンピュータ４０外部に外付けされる場合とがある。
光ディスク装置３０は、ホストコンピュータ４０からの指令である各コマンドが入出力部３４から制御部２８へ入力されることで動作が開始される。
なお、制御部２８のイニシャライズ動作の結果（マルチセッションであるか否か、およびマルチセッションであるなら全セッション認識できるか否か）については、ホストコンピュータ４０へ転送される。
【００２２】
ホストコンピュータ４０は、ユーザが任意の範囲でのセッションを指定することができるように設けられている。
具体的には、ホストコンピュータ４０内で動作するデータ読み出し用のアプリケーションソフトが、マルチセッションの場合に、ユーザが読み出そうとするセッションをユーザ自ら指定することができるように設けられている。
ホストコンピュータ４０は、ユーザが読み出すべきセッションを入力した場合には、ユーザが指定した範囲を指定コマンドとして光ディスク装置３０へ送信する。
【００２３】
光ディスク装置３０の制御部２８は、ホストコンピュータ４０からの指定コマンドが入力されると、指定コマンドによって指定された範囲のセッションのみを読み出すように、イニシャライズ動作を行なう。したがって、制御部２８は、ユーザが指定した範囲外のセッションについては、無いものとして取り扱う。
【００２４】
なお、ユーザの指定できる範囲の最初のセッションは、最内周のセッションで有ることが必要となる。なぜならば、最内周のセッションのリードインにマルチセッションであるかそうでないかが記述されているからである。
【００２５】
以下、制御部２８が読み取る光ディスク１０上のデータの一例を、従来の技術で説明した図４〜図６と同様のものとし、簡単に説明する。
マルチセッションの場合には、各セッション毎にリードインおよびリードアウトがある。そして、各リードインごとにＴＯＣ情報が記述されている。ＴＯＣ情報は従来の技術でも説明したように各トラックのアドレス情報が記載されているので、ＴＯＣ情報がないと、ユーザデータの読み出しは不可能である。
したがって、マルチセッションの場合、光ディスク装置３０は、装着された光ディスクの各セッションのリードインにあるＴＯＣ情報を順次読み取っていくこととなる。
【００２６】
各セッションのリードインには、ＴＯＣ情報の他に、次のセッションの最初のトラックの開始アドレスも記載されている。したがって、光ディスク装置３０は、次のセッションに移行する場合には、このアドレスに基づいて次のセッションのリードインのＴＯＣ情報を読み出す。
なお、図６では、セッション３のリードインに書込みエラーが発生しており、このセッション３の読み出しができないようになっているので、セッション３以降に形成されているセッションへの移行ができない。
従来の光ディスク装置では、このようにいずれか１のセッションのリードインに書込みエラーがあると、全セッションが読み出し不可となっていたのであるが、本発明では、ユーザが読み出したいと欲するセッションを指定可能としたので、ユーザの指定がセッション１からセッション２までとすれば、エラーのあったセッション３以降は無いものとして取り扱うことが可能となり、エラーのなかったセッション２までのデータは読み出し可能としたところに特徴がある。
【００２７】
次に、読み出すべき光ディスクを装着した際の、本発明の光ディスク装置の動作（イニシャライズ動作）について図２、図３に基づいて説明する。
まず、ステップＳ１００において、光ディスク装置３０に光ディスク１０を装着すると、制御部２８が最内周に位置するリードインを読み出して最内周に位置するセッションを認識しようとする。
次のステップＳ１０２では、制御部２８が、光ディスク１０がマルチセッションであるかどうかの判定をする。具体的には、光ディスク１０がマルチセッションであるならば最内周のリードインにマルチセッションフラグが存在しているので、制御部２８は、最内周のリードインを読み出すことで装着された光ディスク１０がマルチセッションであるか否かを判定できる。
制御部２８は、光ディスク１０がマルチセッションであると判定した場合には、ステップＳ１０４へ移行する。
一方、最内周のリードインにマルチセッションフラグが無かった場合には、制御部２８は、この光ディスク１０はマルチセッションではないと判定する。装着された光ディスク１０がマルチセッションではなかった場合には、本発明の特徴であるユーザによるセッションの指定が行なわれず、ＴＯＣ情報の読み出しがされて通常のデータ読み出しが行なわれ、終了する。
【００２８】
マルチセッションであると判断された場合のステップＳ１０４においては、制御部２８が、マルチセッションにおける最初のセッションのＴＯＣ情報が読み出すことができるか否かを確認する。確認ができた場合には、次のステップＳ１０６へ移行する。そのセッションでＴＯＣ情報を読み出すことができなかった場合には、読み出しエラーとしてステップＳ１０９（図３の１）へ移行する。
【００２９】
ステップＳ１０６では、制御部２８は、そのセッションのユーザデータが有るか否かを確認するようにしている。そのセッションのユーザデータが存在していれば、ステップＳ１０８へ移行する。そのセッションにユーザデータが無い場合には、読み出しエラーとしてステップＳ１０９（図３の１）へ移行する。
【００３０】
ステップＳ１０８では、制御部２８は、そのセッションが光ディスク１０中の最後のセッションであるかどうかを確認するようにしている。これが最後のセッションである場合には、セッションの認識はこれで終了する。一方、このセッション以降にまだセッションが存在する場合には、ステップＳ１０４へ戻り、次のセッションの認識を行なう。
【００３１】
読み出しエラーとして図３の１に移行した後の動作について説明する。
ステップＳ１０９では、読み出しエラーがあったので、制御部２８は読み出しエラーが生じた旨の信号をホストコンピュータ４０へ返すようにしている。
ホストコンピュータ４０では、モニタ装置（図示せず）において読み出しエラーが生じた旨の表示をする。ユーザはこの表示を見て読み出すべきセッションを指定するかどうかを判断する。
ユーザが読み出すべきセッションを指定しようと判断した場合には、ステップＳ１１１において、ユーザがホストコンピュータ４０のキーボードやマウス等の入力手段（図示せず）を操作して最初のセッションからユーザの任意のセッションまでを読み出すように指定する。そして、ホストコンピュータ４０は、ユーザが入力したセッションの範囲に基づいて、セッションの範囲の指定コマンドを光ディスク装置３０へ転送する。指定コマンドは、入出力部３４が受信し、最終的に制御部２８に入力される。
次のステップＳ１１３では、指定コマンドを受け付けた光ディスク装置３０の制御部２８は、指定コマンドで指定された範囲のセッションのみを読み出すように制御する。
【００３２】
ステップＳ１１５では、制御部２８は、最内周に位置するセッションのリードインの読み取りを開始する。
次のステップＳ１１７では、制御部２８は、リードイン中に記載されたＴＯＣ情報を読み出すことができるか否かを確認する。確認ができた場合には、次のステップＳ１１９へ移行する。そのセッションのＴＯＣ情報を読み出すことができなかった場合には、読み出しエラーとしてステップＳ１０９へ戻る。
【００３３】
ステップＳ１１９では、制御部２８は、そのセッションのユーザデータが有るか否かを確認するようにしている。そのセッションのユーザデータが存在していれば、ステップＳ１２１へ移行する。そのセッションにユーザデータが無い場合には、読み出しエラーとしてステップＳ１０９へ戻る。
【００３４】
ステップＳ１２１では、制御部２８は、そのセッションがユーザが指定した範囲の最後のセッションであるかどうかを確認するようにしている。これがユーザ指定中の最後のセッションである場合には、セッションの認識はこれで終了する。一方、このセッション以降にまだセッションが存在する場合には、ステップＳ１１７へ戻り、次のセッションの認識を行なう。
【００３５】
このようにして、書込みエラー等によりＴＯＣ情報が読み出しできないセッションがあって読み出しエラーが生じたとしても、ユーザが適当に読み出すべきセッションを指定することで、指定した範囲がその読み出しできないセッションよりも内周側の範囲に含まれていれば、読み出しできないセッションよりも内周側のセッションのデータは読みとれるようになる。
【００３６】
なお、上述してきた実施形態においては、読み出しができないセッションがある場合にユーザが読み出し範囲を指定する内容について説明してきた。
しかし、本発明としては、読み出しできないセッションがある光ディスクを読み出そうとした場合に適用するだけでなく、正常な光ディスクを読み出す際に適用できることは当然である。
すなわち、かかる場合には、図２と図３に基づいて説明した内容とは異なり、とにかくホストコンピュータ側でユーザが読み出すべきセッションの範囲指定を可能としておき、ユーザが読み出す範囲を指定したら光ディスク装置は、それにしたがってデータの読み出しを行なう。
【００３７】
以上本発明につき好適な実施形態を挙げて種々説明したが、本発明はこの実施形態に限定されるものではなく、発明の精神を逸脱しない範囲内で多くの改変を施し得るのはもちろんである。
【００３８】
【発明の効果】
本発明に係る光ディスク装置によれば、マルチセッション方式で書込まれた光ディスクからデータを読み出す際に、ユーザが任意の範囲で読み出すべきセッションの範囲を指定可能である。
したがって、複数のセッションうちのいずれか１つのリードインにおいて書込みエラー等があって、読み出しができないセッションがあったとしても、ユーザが指定する範囲が読み出しできないセッションの内周側にあれば、読み出しできないセッションは読み出さないようにして、指定された範囲だけは少なくとも読み出せるようになる。
また、本発明では、光ディスク中に読み出しできないという程ではない不正なＴＯＣ情報がある場合であっても、ユーザが指定する範囲が不正なセッションの内周側にあれば、不正なセッションは読み出さないようにして、指定された範囲だけは少なくとも正常な動作を行なうことができる。
さらに、セッションを指定することにより、読み出すべきセッション数も単純に減少するので、イニシャライズの時間も短縮できる。
【００３９】
また、ホストコンピュータを操作してユーザが読み出すセッションの範囲を指定した場合には、ユーザが指定した指定コマンドを受信し、受信した指定コマンドに基づいてセッションの読み出しが可能であるとしたことで、次のような効果がある。
例えばマルチセッション方式でデータが書込まれた光ディスクを読み出そうとした際に読み出しエラーがあった場合には、読み出しエラーである旨の信号がホストコンピュータに返されて読み出しエラーであることがモニタ表示される。ユーザはこれを見て、セッションの読み出し範囲を任意に指定することができる。そしてユーザが指定する読み出す範囲が読み出しエラーの原因となったセッションを除くように指定されていれば、指定されたセッションのみが光ディスクから読み出される。このため、従来は読み出しエラーとしてデータを全く読み出せなかった光ディスクからであってもデータを読み出すことができる。
また、光ディスク中に読み出しできないという程ではない不正なＴＯＣ情報がある場合であっても、ホストコンピュータ上でユーザがセッションを指定でき、この指定した範囲が不正なセッションの内周側にあれば、不正なセッションは読み出さないようにして、指定された範囲だけは少なくとも正常な動作を行なうことができる。
さらに、セッションを指定することにより、読み出すべきセッション数も単純に減少するので、イニシャライズの時間も短縮できる。
【図面の簡単な説明】
【図１】本発明に係る光ディスク装置の内部構成を説明するブロック図である。
【図２】本発明に係る光ディスクのデータ認識方法を説明するフローチャートである。
【図３】本発明に係る光ディスクのデータ認識方法を説明するフローチャートである。
【図４】マルチセッションを説明するための説明図である。
【図５】マルチセッションのデータ構造を示す説明図である。
【図６】リードインについて説明する説明図である。
【符号の説明】
１０　光ディスク
１９　光ピックアップ
２０　移動機構
２２　スピンドルモータ
２４　サーボ制御手段
２６　ＲＦアンプ
２８　制御部
２９　デコーダ
３０　光ディスク装置
３４　入出力部
４０　ホストコンピュータ
４１　ケーブル
【図１】
2004079097.tif 000003
【図２】
2004079097.tif 000004
【図３】
2004079097.tif 000005
【図４】
2004079097.tif 000006
【図５】
2004079097.tif 000007
【図６】
2004079097.tif 000008